(57)【特許請求の範囲】
【請求項１】
ＣＲＴにおける映像の表示を制御するモニタ回路と、
本体にセットされたビデオテープへの映像の記録、およびビデオテープに記録されている映像の再生を制御するビデオ制御回路と、
上記モニタ回路、および上記ビデオ制御回路に対して動作電源を供給する電源回路と、を備え、
上記電源回路の出力電圧を調整するトランジスタのベースに、上記モニタ回路に設けられているフライバックトランスの＋Ｂ電圧をフィードバックしたＣＲＴ付きＡＶ装置において、
上記トランジスタのベースと接地間に、上記モニタ回路がオフしているときにハイレベルになり、反対に上記モニタ回路がオンしているときにローレベルになる安定化電圧を接続するとともに、この安定化電圧を分圧する分圧回路を設けたＣＲＴ付きＡＶ装置。
【請求項２】
ＣＲＴにおける映像の表示を制御するモニタ回路と、
本体にセットされた記録媒体への映像の記録、および記録媒体に記録されている映像の再生を制御するビデオ制御回路と、
上記モニタ回路、および上記ビデオ制御回路に対して動作電源を供給する電源回路と、を備え、
上記電源回路の出力電圧を調整するトランジスタのベースに、上記モニタ回路に設けられているフライバックトランスの＋Ｂ電圧をフィードバックしたＣＲＴ付きＡＶ装置において、
上記トランジスタのベースと接地間に、上記モニタ回路がオフしているときにハイレベルになり、反対に上記モニタ回路がオンしているときにローレベルになる安定化電圧を接続したＣＲＴ付きＡＶ装置。
【請求項３】
上記トランジスタのベースと接地間に、上記安定化電圧を分圧する分圧回路を設けた請求項１に記載のＣＲＴ付きＡＶ装置。
【請求項４】
本体にセットされる上記記録媒体は、ビデオテープである請求項１、または２に記載のＣＲＴ付きＡＶ装置。
【発明の詳細な説明】
【０００１】
【発明の属する技術分野】
この発明は、ＣＲＴに映像を表示するモニタ回路、およびビデオテープやＤＶＤ等の記録媒体に映像を記録する記録回路を一体化したＣＲＴ付きＡＶ装置に関する。
【０００２】
【従来の技術】
従来、映像をＣＲＴに表示する装置として、テレビ受像機やパーソナルコンピュータのモニタ装置等が一般に普及している。映像を表示する表示部としてＣＲＴを用いた装置については、種々の提案がなされている。例えば、ＣＲＴのヒータ電極の寿命を向上させる提案として、ダイオードと抵抗からなる直列回路を垂直出力回路の＋Ｂ電圧を供給するＢ電圧安定化回路の電源入力端子に、上記ダイオードのアノードを上記抵抗を介して接続し、ビデオ出力回路の＋Ｂ電圧を供給するＢ電圧安定化回路の出力が停止しているときに、上記ダイオードが導通するように、上記ダイオードのカソードを接続することが提案されている（特許文献１）。
【０００３】
【特許文献１】
特許第２９４９５５９号公報
【０００４】
【発明が解決しようとする課題】
ところで、最近、ビデオテープやＤＶＤ等の記録媒体に記録されている映像の再生、および記録媒体に映像を記録する映像記録装置を、テレビ受像機本体に内蔵した装置（以下、ＣＲＴ付きＡＶ装置と言う。）、所謂テレビデオやＤＶＤ一体型テレビ、が提案されている。
【０００５】
しかしながら、上記ＣＲＴ付きＡＶ装置は、本体各部に動作電源を供給する安定化電源回路に対してＣＲＴにおける映像の表示を制御するモニタ回路に設けられているフライバックトランスの＋Ｂ電圧をフィードバックしている。具体的には、電源回路の出力を制御するトランジスタのベースに上記＋Ｂ電圧をフィードバックしている。
【０００６】
周知のようにＣＲＴに映像を表示する際に必要になる電力は、フライバックトランスの２次側から供給している。したがって、ＣＲＴに映像を表示しているときと、ＣＲＴに映像を表示していないときとでは、上記フライバックトランスの＋Ｂ電圧が異なる。具体的には、ＣＲＴに映像を表示していない状態では、フライバックトランスの２次側の消費電力が極めて小さいので、上記＋Ｂ電圧が低い。
【０００７】
ＣＲＴ付きＡＶ装置は、録画予約に基く録画動作時等において、ＣＲＴに映像を表示することなく、本体に内蔵されている映像記録装置等を動作させることがある。上述のように、ＣＲＴに映像を表示していないときには、電源回路にフィードバックしているフライバックトランスの＋Ｂ電圧が低下することから、電源回路のレギュレーションが低下するため、動作させる本体各部に対して十分な電力供給が行えなくなるという事態が生じ、各部の動作が不安定になるという問題があった。
【０００８】
この発明の目的は、ＣＲＴにおいて映像が表示されていない状態であっても、本体にセットされた記録媒体への映像の記録や、この記録媒体に記録されている映像を再生するビデオ制御回路に対して、安定した電源供給が行えるＣＲＴ付きＡＶ装置を提供することにある。
【０００９】
【課題を解決するための手段】
この発明のＣＲＴ付きＡＶ装置は、上記課題を解決するために、以下の構成を備えている。
【００１０】
ＣＲＴにおける映像の表示を制御するモニタ回路と、
本体にセットされた記録媒体への映像の記録、および記録媒体に記録されている映像の再生を制御するビデオ制御回路と、
上記モニタ回路、および上記ビデオ制御回路に対して動作電源を供給する電源回路と、を備え、
上記電源回路の出力電圧を調整するトランジスタのベースに、上記モニタ回路に設けられているフライバックトランスの＋Ｂ電圧をフィードバックしたＣＲＴ付きＡＶ装置において、
上記トランジスタのベースと接地間に、上記モニタ回路がオフしているときにハイレベルになり、反対に上記モニタ回路がオンしているときにローレベルになる安定化電圧を接続した。
【００１１】
この構成では、ＣＲＴに映像が表示されていないとき、電源回路の出力電圧を調整するトランジスタのベース電位が安定化電圧により、嵩上げされるので、結果的にトランジスタのベースにフィードバックされているフライバックトランスの＋Ｂ電圧を安定化電圧のレベルだけ上昇させることができる。これにより、ＣＲＴに映像が表示されていないときでも、電源回路におけるレギュレーションの低下を抑えることができ、ビデオ制御回路に対して十分な電力供給が行える。したがって、ＣＲＴにおいて映像が表示されていない状態、すなわちＣＲＴに映像を表示させるモニタ回路の動作が停止している状態、であってもビデオ制御回路の動作、例えば予約録画にかかる動作、が不安定になることがなく、装置本体の信頼性を向上させることができる。
【００１２】
ビデオ制御回路が処理する記録媒体としては、例えばビデオテープや、ＤＶＤがある。
【００１３】
また、上記トランジスタのベースと接地間に、上記安定化電圧を分圧する分圧回路を設ければ、ＣＲＴに映像が表示されていないときに、嵩上げされるトランジスタのベース電位の大きさを調整することができる。
【００１４】
【発明の実施の形態】
以下、この発明の実施形態である、ビデオテープやＤＶＤ等の記録媒体に記録されている映像を再生したり、この記録媒体に映像を記録する映像記録装置を、内蔵したテレビ受像機（以下、ＣＲＴ付きＡＶ装置と言う。）について説明する。
【００１５】
なお、この実施形態では本体にセットされたビデオテープに対して映像を記録したり、記録されている映像を再生する映像記録装置を内蔵したＣＲＴ付きＡＶ装置、所謂テレビデオ、を例にして本願発明を説明する。
【００１６】
図１は、この発明の実施形態であるＣＲＴ付きＡＶ装置の構成を示すブロック図である。この実施形態のＣＲＴ付きＡＶ装置１は、本体各部に対して動作電源を供給する電源回路２と、図示していないアンテナで受信された放送信号（テレビ放送信号）から選択されているチャンネルの放送信号（映像信号、および音声信号）を抽出する受信部３と、本体にセットされたビデオテープに対する映像および音声の記録や、このビデオテープに記録されている映像および音声を再生するビデオ制御回路４と、受信部３またはビデオ制御回路４から入力された映像信号および音声信号を処理する映像／音声処理部５と、ＣＲＴ７における映像の表示を制御するモニタ回路６と、を備えている。また、図中に示す８は、映像／音声処理部５で処理された音声信号に基く音声が出力されるスピーカである。
【００１７】
なお、ＣＲＴ付きＡＶ装置１本体に対する入力は、図示していない操作部や、リモコン装置で行われる。
【００１８】
ＣＲＴ付きＡＶ装置１は、アンテナで受信した放送信号（番組）の映像、および音声の視聴が選択されている場合、受信部３においてアンテナで受信した放送信号から選択されているチャンネルの放送信号（番組）を取り出す。映像／音声処理部５が、この放送信号（選択されているチャンネルの放送信号）から映像信号、および音声信号を取り出し、映像信号をモニタ回路６に入力するとともに、音声信号に基く音声をスピーカ８から出力する。モニタ回路６は入力された映像信号に基く映像をＣＲＴ７に表示させる。
【００１９】
周知のように、ＣＲＴ７に映像を表示させるモニタ回路６には、高圧を発生させるためにフライバックトランスが設けられている。モニタ回路６は、フライバックトランスの出力を利用して、ＣＲＴ７のヒータや水平変更回路等を動作させて、ＣＲＴ７に映像を表示する。
【００２０】
また、ＣＲＴ付きＡＶ装置１は、本体にセットされたビデオテープに記録されている映像、および音声の視聴が選択されている場合、ビデオ制御回路４が本体にセットされているビデオテープから映像信号、および音声信号を読み取り、映像／音声処理部５に入力する。映像／音声処理部５が、ビデオ制御回路から入力された映像信号をモニタ回路に入力するとともに、音声信号に基く音声をスピーカ８から出力する。モニタ回路６は入力された映像信号に基く映像をＣＲＴ７に表示させる。
【００２１】
電源回路２が、上述の動作時に本体各部へ動作電源を供給する。この電源回路２には、図２に示すようにモニタ回路６に設けられているフライバックトランスの＋Ｂ電圧がフィードバックされている。図２は、電源回路の概略の構成を示す図である。図２において、１１は外部から入力されたＡＣ電源を整流する整流回路であり、１２は整流回路１１の出力を昇圧する安定化電源回路である。また、図２に示す１３は電源回路２の出力をコントロールするトランジスタである。
【００２２】
図２に示すように、トランジスタ１３のベースに、モニタ回路６に設けられているフライバックトランス（ＦＢＴ）２０の＋Ｂ電圧がフィードバックされている。また、図示するように、直列に接続されたダイオードＤ１、および抵抗Ｒ１がトランジスタ１３のベースに接続されている。ダイオードＤ１のアノード側は、安定化電圧を出力する端子に接続されている。
【００２３】
この安定化電圧は、ＣＲＴ７における映像の表示がなされているときにローレベルになり、反対にＣＲＴ７における映像の表示が停止されているときにハイレベルになる。また、図２に示す直列に接続されたダイオードＤ２、および抵抗Ｒ２は安定化電圧を分圧する分圧回路である。
【００２４】
ＣＲＴ７において映像が表示されているとき、安定化電圧がローレベルであるので、トランジスタ１３のベースの電位は、フィードバックされているフライバックトランス２０の＋Ｂ電圧である。一方、ＣＲＴ７において映像が表示されていない場合、安定化電圧がハイレベルであるので、トランジスタ１３のベースの電位は、フィードバックされているフライバックトランス２０の＋Ｂ電圧に対して、安定化電圧により嵩上げされた電圧である。この嵩上げの大きさは、安定化電圧のハイレベルの電位、と抵抗Ｒ１、Ｒ２の分圧比により定まる。安定化電圧は、装置本体内部において、ＣＲＴ７に映像が表示されている場合と、映像が表示されていない場合とで、その電圧レベルが変化する信号を利用すればよい。また、ＣＲＴ７に映像を表示していないときに、トランジスタ１３のベース電位を嵩上げする大きさに応じて、抵抗Ｒ１、Ｒ２を決めればよい。したがって、本体にこの安定化電圧を発生させる回路構成を新たに追加する必要はない。
【００２５】
ＣＲＴ付きＡＶ装置１では、上述したテレビ放送の視聴時や、ビデオテープの視聴時には、ＣＲＴ７において映像の表示が行われているので、フライバックトランス２０の２次側における電力消費が比較的大きいので、フライバックトランス２０の＋Ｂ電圧も比較的高い電圧である。したがって、トランジスタ１３のベース電位が十分な高さに保持される。これにより、安定化電源回路１２の出力が安定し、本体各部に対して適正な動作電源の供給が行え、本体各部の動作が不安定になるということはない。
【００２６】
なお、この場合、トランジスタ１３のベース電位は、安定化電圧がローレベルであるので、＋Ｂ電圧である。
【００２７】
一方、ＣＲＴ付きＡＶ装置１では、テレビ放送の録画を予約する予約録画機能が設けられている。この予約録画機能による予約録画動作においては、ＣＲＴ７に映像を表示することなく、アンテナで受信したテレビ放送（予約されている番組）を本体にセットされているビデオテープに記録する。このとき、受信部３、ビデオ制御回路４、映像／音声処理部５等が動作する。
【００２８】
このとき、モニタ回路６に設けられているフライバックトランス２０の２次側では、電力が殆ど消費されない状態であるので、このフライバックトランス２０の＋Ｂ電圧が、ＣＲＴ７に映像を表示しているときに比べて低下している。
【００２９】
一方、安定化電圧は、ＣＲＴ７において映像が表示されていない状態であることから、ハイレベルである。このため、トランジスタ１３のベース電位が、安定化電圧により嵩上げされている。
【００３０】
具体的には、安定化電圧により
安定化電圧により嵩上げされるトランジスタ１３のベース電位は、
Ｒ２／（Ｒ１＋Ｒ２）×安定化電圧と、フライバックトランス２０からフィードバックされた＋Ｂ電圧の和となる。このため、ＣＲＴ７に映像を表示しているときと、ＣＲＴ７に映像を表示していないときとにおける、フライバックトランスの＋Ｂ電圧の差と、、Ｒ２／（Ｒ１＋Ｒ２）×安定化電圧とが等しくなるように、抵抗Ｒ１、Ｒ２の抵抗値を決定することにより、ＣＲＴ７に映像を表示していないときも、トランジスタ１３のベース電位を、ＣＲＴ７に映像を表示しているときの電位とすることができる。
【００３１】
これにより、ＣＲＴ７に映像を表示していないときの動作、例えば予約録画に基く録画動作、であっても、安定化電源回路１２のレギュレーションの低下を防止でき、本体の各部に対して安定した電源供給が行える。したがって、ＣＲＴ７に映像を表示していないときの動作の安定性を確保することができ、本体の信頼性を向上できる。
【００３２】
なお、上記実施形態では、ＣＲＴ付きＡＶ装置１は、ビデオテープを処理する装置であるとしたが、ＤＶＤや他の記録媒体を処理する装置を内蔵したものであってもよいし、さらにはビデオテープを処理する装置と、ＤＶＤを処理する装置の両方を内蔵してもよい。
【００３３】
【発明の効果】
以上のように、この発明によれば、ＣＲＴに映像を表示していないときの動作、例えば予約録画動作、の実行時に、トランジスタのベース電位を嵩上げし、フィードバックされているフライバックトランスの＋Ｂ電圧の低下による安定化電源回路のレギュレーションの低下を防止したので、ＣＲＴに映像を表示しないときの動作についても安定性を確保することができ、信頼性の向上が図れる。
【図面の簡単な説明】
【図１】この発明の実施形態であるＣＲＴ付きＡＶ装置の構成を示す図である。
【図２】この発明の実施形態であるＣＲＴ付きＡＶ装置の電源回路の概略の構成を示す図である。
【符号の説明】
１−ＣＲＴ付きＡＶ装置
２−電源回路
３−受信部
４−ビデオ制御回路
５−映像／音声処理部
６−モニタ回路
７−ＣＲＴ
８−スピーカ
１１−整流回路
１２−安定化電源回路
１３−トランジスタ
２０−フライバックトランス（ＦＢＴ）
Ｒ１、Ｒ２−抵抗
Ｄ１、Ｄ２−ダイオード
【図１】
0003666595.tif 000002
【図２】
0003666595.tif 000003